(57)【要約】  室外機及び空調対象空間の輻射温度を検出する輻射温度センサを含む室内機を備えた空気調和装置と、室内機と通信し、輻射温度センサの検出データを取得するコントローラと、コントローラと通信し、コントローラから検出データを取得する端末と、を備え、端末は、検出データの変化を検出して出力するものである。
2017149660.tif 000002
【特許請求の範囲】
【請求項１】
室外機及び空調対象空間の輻射温度を検出する輻射温度センサを含む室内機を備えた空気調和装置と、
前記室内機と通信し、前記輻射温度センサの検出データを取得するコントローラと、
前記コントローラと通信し、前記コントローラから前記検出データを取得する端末と、
を備え、
前記端末は、
前記検出データの変化を検出して出力する
空調システム。
【請求項２】
前記端末は、
前記空気調和装置に試運転を実行させる試運転指示を前記コントローラに送信可能であり、
前記コントローラは、
前記運転指示を受け付けると、前記室内機から予め取得した前記試運転の前の前記検出データを前記端末に送信してから、前記空気調和装置に前記試運転を実行させ、
前記空気調和装置が前記試運転を実行すると、前記試運転を実行した後の前記検出データを前記室内機から取得し、
前記室内機から取得した前記試運転の後の前記検出データを前記端末に送信する
請求項１に記載の空調システム。
【請求項３】
前記端末は、
前記試運転の前の前記検出データと、前記試運転を実行した後の前記検出データとの変化を検出して前記出力する
請求項２に記載の空調システム。
【請求項４】
前記室内機は、
前記空気調和装置に試運転を実行させる試運転スイッチを備え、
前記試運転スイッチがオンされると、前記試運転スイッチがオンされる前に有していた前記検出データを前記コントローラに送信し、
前記試運転を開始してから、前記試運転を開始してから取得した前記検出データを前記コントローラに送信する
請求項１に記載の空調システム。
【請求項５】
前記端末は、
前記試運転スイッチがオンされる前に有していた前記検出データと、前記試運転を開始してから取得した前記検出データとの変化を検出して前記出力する
請求項４に記載の空調システム。
【請求項６】
前記端末は、
画像データを表示する表示部を含み、
前記コントローラから取得した前記検出データから前記空調対象空間の輻射温度の分布を示す前記画像データを作成して前記表示部に表示する
請求項１〜５のいずれか一項に記載の空調システム。
【請求項７】
前記コントローラは、
前記空気調和装置が試運転を実行中に、定期的に、前記室内機から前記検出データを取得して記憶する
請求項１〜６のいずれか一項に記載の空調システム。
【請求項８】
前記コントローラは、
複数の前記検出データを記憶し、
前記端末からの要求に応じて、記憶した前記検出データを送信する
請求項１〜７のいずれか一項に記載の空調システム。
【請求項９】
前記室内機と前記コントローラとは第１の通信方式で通信し、
前記コントローラと前記端末とは前記第１の通信方式とは異なる第２の通信方式で通信する
請求項１〜８のいずれか一項に記載の空調システム。
【請求項１０】
前記室内機と前記コントローラとは専用線で接続されて通信し、
前記コントローラと前記端末とは近距離無線通信で通信する
請求項１〜９のいずれか一項に記載の空調システム。
【請求項１１】
前記コントローラは、
前記室内機の動作を制御するリモートコントローラであり、
前記端末は、
携帯端末である
請求項１〜１０のいずれか一項に記載の空調システム。
【発明の詳細な説明】
【技術分野】
【０００１】
本発明は、空調システムに関し、空気調和装置とコントローラとが第１の通信方式で通信し、コントローラとコントローラとは別の端末とが第２の通信方式で通信する空調システムに関する。
【背景技術】
【０００２】
従来の空調システムのコントローラは、空気調和装置と配線を介して接続されており、運転履歴及び故障コード等のデータを格納し、そのデータを例えば携帯電話等の端末に送信することができるものがある（例えば、特許文献１参照）。特許文献１に記載の技術は、このデータが携帯電話等の端末からサービス店に送信され、空気調和装置に点検等が必要であるかをサービス店で把握できる。
【先行技術文献】
【特許文献】
【０００３】
【特許文献１】特開２００９−１４２３３号公報
【発明の概要】
【発明が解決しようとする課題】
【０００４】
従来の空調システムでは、運転履歴及び故障コード等から、大まかには空気調和装置の点検等の必要性について把握することができる。しかし、従来の空調システムの把握では、空調対象空間に冷えにくい部分がある又は空調対象空間に温度むらがある等といったところまで把握が困難である。【０００５】
本発明は、上記のよう課題を解決するためになされたもので、空気調和装置に点検等が必要であるか否かをよりきめ細やかに把握することができる空調システムを提供することを目的としている。
【課題を解決するための手段】
【０００６】
本発明に係る空調システムは、室外機及び空調対象空間の輻射温度を検出する輻射温度センサを含む室内機を備えた空気調和装置と、室内機と通信し、輻射温度センサの検出データを取得するコントローラと、コントローラと通信し、コントローラから検出データを取得する端末と、を備え、端末は、検出データの変化を検出して出力するものである。
【発明の効果】
【０００７】
本発明に係る空調システムは、上記構成を備えているので、空気調和装置に点検等が必要であるか否かをよりきめ細やかに把握することができる。
【図面の簡単な説明】
【０００８】
【図１Ａ】本発明の実施の形態に係る空調システムのシステム構成図である。
【図１Ｂ】本発明の実施の形態に係る空調システムの空気調和装置の冷媒回路等を示す図である。
【図１Ｃ】本発明の実施の形態に係る空調システムの機能ブロック図である。
【図２】本発明の実施の形態に係る空調システムのメッシュ図である。
【図３】本発明の実施の形態に係る空調システムのシーケンス図である。
【図４】本発明の実施の形態に係る空調システムのシーケンス図の変形例である。
【発明を実施するための形態】
【０００９】
実施の形態．
図１Ａは、本実施の形態に係る空調システム５００のシステム構成図である。
図１Ｂは、本実施の形態に係る空調システム５００の空気調和装置１００の冷媒回路等を示す図である。
【００１０】
［空調システム５００の構成］
図１Ａに示すように、空調システム５００は、空気調和装置１００と、コントローラ１と、端末８と、を含む。なお、空調システム５００は、これらに加えて、サービス店９０を含んでいてもよい。なお、本実施の形態において、端末８が携帯電話である。なお、端末８は、携帯電話に限定されるものではなく、ＰＣ（パーソナルコンピュータ）等でもよいし、特に限定されるものではない。
【００１１】
空気調和装置１００は、室外機７及び空調対象空間の輻射温度を検出する輻射温度センサ９を含む室内機５を備えている。コントローラ１は、室内機５と通信し、輻射温度センサ９の検出データを取得（受信）する。端末８は、コントローラ１と通信し、コントローラ１から検出データを取得（受信）する。なお、検出データとは、空調対象空間の輻射温度データである。端末８は、検出データから空調対象空間の温度分布を示す画像データを作成する。
【００１２】
コントローラ１は、メインコントローラＡと、サブコントローラＢ及びサブコントローラＣとを含む。コントローラ１は、例えば、リモートコントローラで構成することができる。本実施の形態では、コントローラ１は、４つの室内機５と通信できるように接続されている。サブコントローラＢも、４つの室内機５と通信できるように接続されている。サブコントローラＣは、２つの室内機５と通信できるように接続されている。
【００１３】
室内機５同士は第１の通信方式で通信する。また、室内機５とコントローラ１についても第１の通信方式で通信する。室内機５同士は、配線Ｌ１で接続されている。室内機５とコントローラ１とについても、配線Ｌ１で接続されている。配線Ｌ１は、例えば、室内機５とコントローラ１とを接続する専用線が用いられる。なお、コントローラ１の動作電源は室内機５から給電される。
【００１４】
コントローラ１と端末８とは第２の通信方式で通信する。コントローラ１と端末８とは無線Ｌ２で通信する。第２の通信方式は、近距離無線通信を採用することができる。また、近距離無線通信を採用することにより、室内機５のコントローラ１への給電能力を低減することが可能である。
【００１５】
室外機７と室内機５とは第３の通信方式で通信する。室外機７と室内機５とは配線Ｌ３で接続されている。配線Ｌ３は、ＡＣ電源線及び通信線１本を備えた構成と、専用線を使って接続される構成とがある。前者の構成は、後者の構成にくらべ、施工が容易であるが、通信距離が短く、通信速度も遅い。このため、１台の室外機７に接続される室内機５の数は、例えば最大４台程度である。本実施の形態では、配線Ｌ３がＡＣ電源線及び通信線１本を備えた構成である。本実施の形態では、室外機７には、室内機５が４台接続されている場合を一例として説明する。
【００１６】
空調システム５００がサービス店９０を含む場合には、端末８とサービス店９０とは、第４の通信方式で通信する。端末８とサービス店９０とは、例えば、無線で通信してもよいし、配線で接続してもよい。
【００１７】
室内機５には、空調対象空間の輻射温度を検出する輻射温度センサ９が搭載されている。室内機５は、輻射温度センサ９の検出データ等をコントローラ１に送信する。また、室内機５は、コントローラ１から、空気調和装置１００の運転指示に関するデータ等を受信する。
【００１８】
輻射温度センサ９は、人及び床温度等を検出する。各室内機５は、輻射温度センサ９の検出データを第１の通信方式を用いて、コントローラ１に送信する。コントローラ１は、第２の通信方式を用いて、輻射温度センサ９の検出データを端末８に送信する。端末８は、検出データを受信し、検出データの変化を検出する。そして、端末８は、検出データの変化を検出すると、検出したことを出力する。ここで、出力とは、本実施の形態では、端末８の表示部２０に空調対象空間の温度分布の画像データを表示することを指す。なお、これに限定されるものではない。例えば、検出データの変化を検出すると、端末８に取り付けられた点灯ランプを点灯させるものであってもよい。また、検出データの変化を検出すると、端末８から音声で報知するものであってもよい。
【００１９】
検出データは、輻射温度センサ９が３６０度回転した後に、そのデータがコントローラ１に送信される。また、次に、３６０度回転した時に、そのデータがコントローラ１に送信される。送信されるデータは、輻射温度センサ９が読み取った値（配列）である。コントローラ１は、配列データを端末８に送信する。なお、ユーザが、コントローラ１に対して送信許可設定をすることで、配列データを端末８に送信するか否かは送信しないかは制御可能である。
【００２０】
コントローラ１は、空気調和装置１００の運転指示に関するデータ等を室内機５に送信することができる。コントローラ１は、室内機５から空調対象空間の検出データ等を受信することができる。また、コントローラ１は、空調対象空間の検出データ等を端末８に送信することができる。コントローラ１は、端末８から運転指示に関するデータ等を受信することができる。
【００２１】
端末８は、空気調和装置１００の運転指示に関するデータ等をコントローラ１に送信することができる。また、端末８は、コントローラ１から空調対象空間の検出データ等を受信することができる。端末８は、コントローラ１から受信した空調対象空間の検出データの変化を検出する機能を備えている。また、端末８は、コントローラ１から受信した空調対象空間の検出データから、空調対象空間の温度分布を示すメッシュ図（画像データ）を表示することができる（図２参照）。
【００２２】
［空気調和装置１００の冷媒回路構成等］
図１Ｂに示すように、空気調和装置１００は、室内機５と、室外機７とを含んでいる。空気調和装置１００は、冷媒を圧縮する圧縮機５１と、冷媒流路を切り替える流路切替弁５２とを含む。また、空気調和装置１００は、蒸発器又は凝縮器として機能する室内熱交換器５３と、凝縮器又は蒸発器として機能する室外熱交換器５５と、室内熱交換器５３に空気を供給する室内送風機５３Ａと、室外熱交換器５５に空気を供給する室外送風機５５Ａとを含む。さらに、空気調和装置１００は、冷媒を減圧する絞り装置５４を含む。
【００２３】
室内機５には、室内熱交換器５３及び室内送風機５３Ａが搭載されている。また、室外機７には、圧縮機５１、流路切替弁５２、室外熱交換器５５、絞り装置５４及び室外送風機５５Ａが搭載されている。流路切替弁５２を切り替えることで、空気調和装置１００は冷房運転と暖房運転とを切り替えることができる。図１Ｂでは、暖房運転時の状態を示している。
【００２４】
［空調システム５００の機能説明］
図１Ｃは、本実施の形態に係る空調システム５００の機能ブロック図である。
図２は、本実施の形態に係る空調システム５００のメッシュ図（画像データ）である。
図１Ｃ及び図２を参照して空気調和装置１００、及びコントローラ１及び端末８の機能について説明する。
【００２５】
（空気調和装置１００）
空気調和装置１００の室内機５は、運転制御部１０と、判定部１１と、試運転スイッチＳＷと、メモリＭｅと、受信部１２と、送信部１３とを備えている。
運転制御部１０は、判定部１１の判定結果、及び、コントローラ１から送信される運転指示に関するデータ等に基づいて、各種アクチュエータを制御する。運転制御部１０は、例えば、室外送風機５５Ａ及び室内送風機５３Ａの回転数、絞り装置５４の開度、圧縮機５１の周波数、及び、流路切替弁５２の切り替え等を制御する。また、運転制御部１０は、判定部１１が試運転スイッチＳＷが押されたと判定した場合に、予め定められた動作が行われるように、各種アクチュエータを制御する。
【００２６】
判定部１１は、例えば、輻射温度センサ９の検出データに基づいて、空調対象空間のいずれかの箇所が冷えているか否か、又は、暑いか否かを判定する。また、判定部１１は、試運転スイッチＳＷが押されているか否かを判定する。
【００２７】
試運転スイッチＳＷは、例えば、室内機５に取り付けられている。サービスマンが試運転スイッチＳＷを押すことで、空気調和装置１００が予め定められた動作を行う。この動作には、例えば、室内送風機５３Ａだけを動かす送風運転がある。また、この動作には、圧縮機５１、室内送風機５３Ａ、室外送風機５５Ａ、絞り装置５４及び流路切替弁５２等を動作させる冷房運転又は暖房運転がある。
【００２８】
メモリＭｅは、各種データを記憶する。メモリＭｅは、例えば、輻射温度センサ９の検出した検出データを記憶する。その他に、メモリＭｅには、空気調和装置１００の設定温度等の運転データ、空気調和装置１００の機種を示すデータ、空気調和装置１００の運転時間等の運転データ、室外機７の圧縮機５１の消費電流及び回転数等の運転データ、空気調和装置１００の故障原因を表すコード、及び外気温等のデータも記憶することができる。
【００２９】
受信部１２は、コントローラ１からデータを受け付ける。送信部１３は、コントローラ１にデータを送信する。
【００３０】
（コントローラ１）
コントローラ１は、ユーザ等が操作することで、空気調和装置１００に冷房運転及び暖房等の運転の指示を出すものである。コントローラ１は、複数の前記検出データを記憶し、端末８からの要求に応じて、記憶した検出データを送信する。
コントローラ１は、空気調和装置１００の受信部１２にデータを送信する送信部１４と、空気調和装置１００の送信部１３からデータを受信する受信部１５とを備えている。また、コントローラ１は、端末８から試運転の運転指示を受け付けたか否かを判定する判定部２２と、各種データを記憶するメモリ２３とを備えている。なお、コントローラ１の送信部１４は、端末８にデータを送信することもでき、受信部１５は、端末８からデータを受信することもできる。
【００３１】
コントローラ１は、端末８から運転指示を受け付けると、室内機５から予め取得した試運転の前の検出データを端末８に送信してから、空気調和装置１００に試運転を実行させる。また、コントローラ１は、空気調和装置１００が試運転を実行すると、試運転を実行した後の検出データを室内機５から取得する。さらに、コントローラ１は、室内機５から取得した試運転の後の検出データを端末８に送信する。なお、端末８は、試運転の前の検出データと、試運転を実行した後の検出データとの変化を検出して出力することになる。
【００３２】
（端末８）
端末８は、コントローラ１からデータを受信する受信部１６と、コントローラ１にデータを送信する送信部１７とを備えている。また、端末８は、コントローラ１から送信される検出データの変化を検出する変化検出部１８と、受信部１６から受信した検出データに基づいてメッシュ図を作成するデータ作成部１９とを備えている。また、端末８は、例えば、スマートフォン等の携帯電話（携帯端末）であり、表示部２０を備えている。さらに、端末８は、各種データを記憶するメモリ２１を備えている。
なお、端末８は、サービスマンが操作することで、空気調和装置１００に試運転を開始する指示を受け付け、その指示データをコントローラ１を介して空気調和装置１００に送信することができる。
【００３３】
変化検出部１８は、順番に取得した検出データを比較し、変化があるかどうかを検出する機能を備えている。変化検出部１８は、輻射温度センサ９の検出データの差分、又は、検出データの差分の偏差等から、空気調和装置１００が適正に運転されているか否かを検出している。
【００３４】
データ作成部１９は、コントローラ１から受信部１６で受信した輻射温度センサ９の検出データを、画像データとする機能を備えている。この画像データは、図２に示すようなメッシュ図として表示部２０に表示される。この画像データは、空調対象空間の温度分布を示している。図２では、温度が高い程、色を濃くして示している。端末８は、メモリ２１を備えており、複数の画像データを記憶することができる。データ作成部１９は、検出データから生成した複数の画像データを、コントローラ１から受信した順番で並べる機能も備えている。つまり、表示部２０では、データ作成部１９が作成した画像データを、メッシュ図として、時系列表示させることができる。なお、時系列表示は、一覧表示でも良いし、スライドショー表示でも良い。
【００３５】
表示部２０では、データ作成部１９で作成したメッシュ図を表示することができる。これにより、サービスマンは、端末８を見ることで、空調対象空間の温度分布を把握することができる。
【００３６】
なお、運転制御部１０及び判定部１１は制御装置で構成することができる。変化検出部１８及びデータ作成部１９も制御装置で構成することができる。制御装置は、例えば、専用のハードウエア、又はメモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ等ともいう）で構成される。
制御装置が専用のハードウエアである場合には、制御装置は、例えば、単一回路、複合回路、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ−ｐｒｏｇｒａｍｍａｂｌｅ  ｇａｔｅ  ａｒｒａｙ）、またはこれらを組み合わせたものが該当する。制御装置が実現する各機能部のそれぞれを、個別のハードウエアで実現してもよいし、各機能部を一つのハードウエアで実現してもよい。
制御装置がＣＰＵの場合には、制御装置が実行する各機能は、ソフトウエア、ファームウエア、又はソフトウエアとファームウエアとの組み合わせにより実現される。ソフトウエアやファームウエアはプログラムとして記述され、メモリに格納される。ＣＰＵは、メモリに格納されたプログラムを読み出して実行することにより、制御装置の各機能を実現する。ここで、メモリは、例えば、ＲＡＭ、ＲＯＭ、フラッシュメモリ、ＥＰＲＯＭ、ＥＥＰＲＯＭ等の不揮発性又は揮発性の半導体メモリを採用することができる。なお、制御装置の機能の一部を専用のハードウエアで実現し、一部をソフトウエア又はファームウエアで実現するようにしてもよい。
【００３７】
［動作説明］
図３は、本実施の形態に係る空調システム５００のシーケンス図である。
端末８は、検出データの要求指示データ及び試運転指示データをコントローラ１に送信する（Ｓ１）。
コントローラ１は、端末８から受信した要求指示データ及び試運転指示データを室内機５に送信する（Ｓ２）。
運転制御部１０は、試運転指示データに基づいて、各種アクチュエータを制御する（Ｓ３）。ここでは、空気調和装置１００は、送風運転を実施するために、室内送風機５３Ａを運転する。また、運転制御部１０は、要求指示データに基づいて、輻射温度センサ９のモータを制御する。ここでは、輻射温度センサ９を３６０°回転させる。輻射温度センサ９は、３６０°の範囲で検出データを取得する。
【００３８】
室内機５は要求指示データを受信したため、室内機５は、検出データをコントローラ１に送信する（Ｓ４）。
コントローラ１は、室内機５から受信した検出データを端末８に送信する（Ｓ５）。
端末８のデータ作成部１９は、画像データを生成する（Ｓ６）。
【００３９】
室内機５は試運転指示データをＳ２で受信しており、送風運転に引き続いて、冷房運転を実施する（Ｓ７）。なお、冷房運転の設定温度は、例えば、２５度である。また、室内機５は要求指示データをＳ２で受信しており、輻射温度センサ９を３６０°回転させる。これにより、輻射温度センサ９は、３６０°の範囲で検出データを取得する。
室内機５は要求指示データを受信しているため、室内機５は、検出データをコントローラ１に送信する（Ｓ８）。
コントローラ１は、室内機５から受信した検出データを端末８に送信する（Ｓ９）。
端末８のデータ作成部１９は、画像データを生成する（Ｓ６）。
【００４０】
室内機５は試運転指示データをＳ２で受信しており、冷房運転に引き続いて、暖房運転を実施する（Ｓ１１）。なお、暖房運転の設定温度は、例えば、２５度である。また、室内機５は、要求指示データをＳ２で受信しているため、輻射温度センサ９を３６０°回転させる。これにより、輻射温度センサ９は、３６０°の範囲で検出データを取得する。
室内機５は要求指示データを受信しており、室内機５は検出データをコントローラ１に送信する（Ｓ１２）。
コントローラ１は、室内機５から受信した検出データを端末８に送信する（Ｓ１３）。
端末８のデータ作成部１９は、画像データを生成する（Ｓ１４）。
【００４１】
端末８は、空気調和装置１００の試運転の検出データの取得が完了したため、コントローラ１に運転終了指示データを送信する（Ｓ１５）。
コントローラ１は、端末８から受信した運転終了指示データを室内機５に送信する（Ｓ１６）。
【００４２】
このように、コントローラ１は、室内機５から受信した検出データ（配列データ）を、逐次端末８に送信している。なお、図３では、試運転スイッチＳＷがオンされ、試運転スイッチＳＷがオンされる前に有していた検出データをコントローラ１に送信する制御内容は省略している。例えば、室内機５は、Ｓ３の前に、試運転スイッチＳＷがオンされる前に有していた検出データをコントローラ１に送信し、そして、コントローラ１は、その検出データを端末８に送信するとよい。
端末８の変化検出部１８は、順番に取得した検出データを比較し、変化があるかどうかを検出する。例えば、その変化が予め定められた値よりも大きければ、変化検出部１８は、空気調和装置１００が適正に運転されていないことを検出することができる。なお、変化検出部１８の検出結果は、例えば、表示部２０に示し、また、サービス店９０に送信される。
また、端末８は、その配列データを画像データに変換し、表示部２０で表示する。そして、サービスマンは、画像表示をスライドショーすることにより、空調対象空間の輻射温度の変化を目視で確認することができる。つまり、サービスマンは、変化検出部１８の検出結果だけでなく、表示部２０でメッシュ図を目視することで輻射温度の変化を確認できる。
コントローラ１ではなく、スマートフォン等の端末８を用いることにより、ＣＰＵ速度、メモリ容量等の制限が緩和される。つまり、画像データの表示及び検出データの分析を高速化することができるとともに、画像データ及び検出データのデータ保存も容易である。
【００４３】
なお、輻射温度センサ９のデータ量をデータ取得間隔で除算した値は、室内機５からコントローラ１に通信する速度や、コントローラ１から端末８に通信する速度よりも十分に小さい値とする。
【００４４】
［実施の形態の効果］
従来は、空調対象空間に冷えにくい部分がある、空調対象空間に暖まりにくい部分がある、又は空調対象空間に温度むらがある等までの把握は困難であった。なお、空調対象空間が冷えにくい等は、空気調和装置の設置工事の不良、及び空気調和装置の能力不足等に起因する。
【００４５】
空調システム５００の端末８は、試運転の前の検出データと、試運転を実行した後の検出データとの変化を検出して出力する。なお、試運転は、例えば、空気調和装置１００の修理、点検、設置又は交換時等で行われる。これにより、空調システム５００では、空調対象空間に冷えにくい部分がある、空調対象空間に暖まりにくい部分がある、又は空調対象空間の温度分布にむらがある、といった不具合を端末８の出力（表示又は音声）でサービスマンに知らせることができる。なお、端末８の出力が例えば表示である場合には、端末８には、空調対象空間の冷えにくい部分等が表示される。
【００４６】
例えば、空気調和装置１００の修理、点検、設置又は交換をした後に空気調和装置１００の試運転をし、問題なく動作したとしても、実際には、空気調和装置１００の設置工事の不良又は空気調和装置１００の能力不足等により、上述したような不具合が生じている場合がある。空調システム５００では、この不具合を端末８が出力して、サービスマンに知らせることができる。このため、端末８を持つサービスマンは、その場で、更なる修理又は点検が必要であるか、又は、空気調和装置１００の能力自体が足りないので交換が必要であるか、を容易に把握することができる。また、それだけではなく、サービス店も、端末８から送信される輻射温度データを取得し、更なる修理又は点検が必要であるか等を容易に把握することができる。このように、本実施の形態に係る空調システム５００では、空気調和装置１００に修理、点検又は交換が必要であるか否かをよりきめ細やかに把握することができる。
【００４７】
［変形例］
図４は、本実施の形態に係る空調システム５００のシーケンス図の変形例である。
本実施の形態では、端末８からの試運転指示データが試運転開始のトリガーとなっていたが、本実施の形態の変形例では、室内機５に備えられた試運転スイッチＳＷが試運転開始のトリガーとなっている。
【００４８】
変形例において、室内機５は、空気調和装置１００に試運転を実行させる試運転スイッチＳＷを備えている。そして、試運転スイッチＳＷがオンされると、室内機５は、試運転スイッチＳＷがオンされる前に有していた検出データをコントローラ１に送信する。
また、室内機５は、試運転を開始してから、一定時間経過後に、試運転を開始してから取得した検出データをコントローラ１に送信する。端末８は、試運転スイッチＳＷがオンされる前に有していた検出データと、試運転を開始してから取得した検出データとの変化を検出して出力する。従来の空気調和装置では、試運転スイッチがオンされても、室内機からコントローラに各種データを送信しなくてもよかった。これは、サービスマンは、試運転スイッチがオンされた後に、室内送風機が動作する等の予め定められた動作をすることを目視で確認できれば足りるからである。しかし、変形例では、端末８に検出データを送信して端末８で上述の不具合がないかを確認できるように、室内機５からコントローラ１に検出データを送信する構成となっている。
【００４９】
室内機５で試運転スイッチＳＷが押下されると、室内機５からコントローラ１にスイッチ押下データが送信される（Ｓ２０）。
コントローラ１は、室内機５から受信したスイッチ押下データを端末８に送信する（Ｓ２１）。
端末８は、スイッチ押下データを受信すると、検出データの要求指示データをコントローラ１に送信する（Ｓ２２）。
コントローラ１は、端末８から受信した要求指示データを室内機５に送信する（Ｓ２３）。
なお、Ｓ２２及びＳ２３で、端末８が、試運転指示データを送信しないのは、試運転スイッチＳＷが押下されることで、空気調和装置１００は試運転指示があることを把握できるためである。
【００５０】
図４のＳ２４〜Ｓ３７の動作は、図３のＳ３〜Ｓ１６の動作と同様であるため、説明は省略する。
【００５１】
端末８とコントローラ１が接続されている、されていないにかかわらず、コントローラ１は、定期的なログをとってもよい。つまり、コントローラ１は、空気調和装置１００が試運転を実行中に、定期的に、室内機５から検出データを取得して記憶する。
このログをとる内容は、図４のＳＳの制御で示している。なお、ＳＳの制御を設けるか否かは任意である。また、Ｓ２９とＳ３０との間でログをとってもよいし、Ｓ３３とＳ３４との間でログをとってもよい。
ログは、空調の制御状態と合わせて保存し、輻射温度センサ９の検出データそのものでも良いし、輻射温度の平均値、最大値、最小値、標準偏差等の統計値を保持しても良い。後者であれば、コントローラ１のメモリ容量に依存するが、過去一週間、一か月等の記録が可能であり、端末８と接続したときに、そのデータを取り出すことができる。
【００５２】
なお、端末８とコントローラ１が接続されていない場合には、コントローラ１が、試運転直後の状態と、最新の状態（輻射温度の平均値、最大値、最小値、標準偏差等の統計値等）のみ記憶し、差分を演算することにより、試運転時に輻射温度変化を検出することが可能になる。
【００５３】
また、図４では、試運転スイッチＳＷがオンされ、試運転スイッチＳＷがオンされる前に有していた検出データをコントローラ１に送信する制御内容は省略している。例えば、室内機５は、Ｓ２４の前に、試運転スイッチＳＷがオンされる前に有していた検出データをコントローラ１に送信し、そして、コントローラ１は、その検出データを端末８に送信するとよい。
【符号の説明】
【００５４】
１  コントローラ、３  配線、５  室内機、７  室外機、８  端末、９  輻射温度センサ、１０  運転制御部、１１  判定部、１２  受信部、１３  送信部、１４  送信部、１５  受信部、１６  受信部、１７  送信部、１８  変化検出部、１９  データ作成部、２０  表示部、２１  メモリ、２２  判定部、２３  メモリ、５１  圧縮機、５２  流路切替弁、５３  室内熱交換器、５３Ａ  室内送風機、５４  絞り装置、５５  室外熱交換器、５５Ａ  室外送風機、９０  サービス店、１００  空気調和装置、５００  空調システム、Ａ  メインコントローラ、Ｂ  サブコントローラ、Ｃ  サブコントローラ、Ｌ１  配線、Ｌ２  無線、Ｌ３  配線、Ｍｅ  メモリ、ＳＷ  試運転スイッチ。
【図１Ａ】
2017149660.tif 000003
【図１Ｂ】
2017149660.tif 000004
【図１Ｃ】
2017149660.tif 000005
【図２】
2017149660.tif 000006
【図３】
2017149660.tif 000007
【図４】
2017149660.tif 000008
【手続補正書】
【提出日】平成30年5月29日(2018.5.29)
【手続補正１】
【補正対象書類名】明細書
【補正対象項目名】０００６
【補正方法】変更
【補正の内容】
【０００６】
本発明に係る空調システムは、室外機及び空調対象空間の輻射温度を検出する輻射温度センサを含む室内機を備えた空気調和装置と、室内機と通信し、輻射温度センサの検出データを取得するコントローラと、コントローラと通信し、コントローラから検出データを取得する端末と、を備え、端末は、検出データの変化が予め設定された閾値に対して大きいか否かを出力するものである。
【手続補正２】
【補正対象書類名】特許請求の範囲
【補正対象項目名】全文
【補正方法】変更
【補正の内容】
【特許請求の範囲】
【請求項１】
室外機及び空調対象空間の輻射温度を検出する輻射温度センサを含む室内機を備えた空気調和装置と、
前記室内機と通信し、前記輻射温度センサの検出データを取得するコントローラと、
前記コントローラと通信し、前記コントローラから前記検出データを取得する端末と、
を備え、
前記端末は、
前記検出データの変化が予め設定された閾値に対して大きいか否かを出力する
空調システム。
【請求項２】
前記端末は、
前記空気調和装置に試運転を実行させる試運転指示を前記コントローラに送信可能であり、
前記コントローラは、
前記試運転指示を受け付けると、前記室内機から予め取得した前記試運転の前の前記検出データを前記端末に送信してから、前記空気調和装置に前記試運転を実行させ、
前記空気調和装置が前記試運転を実行すると、前記試運転を実行した後の前記検出データを前記室内機から取得し、
前記室内機から取得した前記試運転の後の前記検出データを前記端末に送信する
請求項１に記載の空調システム。
【請求項３】
前記端末は、
前記試運転の前の前記検出データと、前記試運転を実行した後の前記検出データとの変化を検出して前記出力する
請求項２に記載の空調システム。
【請求項４】
前記室内機は、
前記空気調和装置に試運転を実行させる試運転スイッチを備え、
前記試運転スイッチがオンされると、前記試運転スイッチがオンされる前に有していた前記検出データを前記コントローラに送信し、
前記試運転を開始してから、前記試運転を開始してから取得した前記検出データを前記コントローラに送信する
請求項１に記載の空調システム。
【請求項５】
前記端末は、
前記試運転スイッチがオンされる前に有していた前記検出データと、前記試運転を開始してから取得した前記検出データとの変化を検出して前記出力する
請求項４に記載の空調システム。
【請求項６】
前記端末は、
画像データを表示する表示部を含み、
前記コントローラから取得した前記検出データから前記空調対象空間の輻射温度の分布を示す前記画像データを作成して前記表示部に表示する
請求項１〜５のいずれか一項に記載の空調システム。
【請求項７】
前記コントローラは、
前記空気調和装置が試運転を実行中に、定期的に、前記室内機から前記検出データを取得して記憶する
請求項１〜６のいずれか一項に記載の空調システム。
【請求項８】
前記コントローラは、
複数の前記検出データを記憶し、
前記端末からの要求に応じて、記憶した前記検出データを送信する
請求項１〜７のいずれか一項に記載の空調システム。
【請求項９】
前記室内機と前記コントローラとは第１の通信方式で通信し、
前記コントローラと前記端末とは前記第１の通信方式とは異なる第２の通信方式で通信する
請求項１〜８のいずれか一項に記載の空調システム。
【請求項１０】
前記室内機と前記コントローラとは専用線で接続されて通信し、
前記コントローラと前記端末とは近距離無線通信で通信する
請求項１〜９のいずれか一項に記載の空調システム。
【請求項１１】
前記コントローラは、
前記室内機の動作を制御するリモートコントローラであり、
前記端末は、
携帯端末である
請求項１〜１０のいずれか一項に記載の空調システム。
【国際調査報告】
2017149660.tif 000009
2017149660.tif 000010
2017149660.tif 000011
2017149660.tif 000012